(57)【特許請求の範囲】
【請求項１】
窓障子に組み込まれる細長い換気装置であって、
換気装置の長手方向に延びるとともに室外側に配置された、換気口を有する金属製の外側本体と、
換気装置の長手方向に延びるとともに室内側に配置された、換気口を有する樹脂製の内側本体と、
換気装置の長手方向に延びるとともに上記外側本体と上記内側本体との間に配置された、換気口を有する金属製の中間補強部材と、
換気装置の長手方向に延びるとともに上記外側本体と上記中間補強部材との間に配置された、樹脂製の第１，第２のブリッジと、
上記外側本体と上記中間補強部材と上記内側本体の換気口を通る換気通路と、
上記換気通路での空気の流通を制御する流通制御機構と、
を備え、
上記内側本体が、上記内側本体の換気口と上記中間補強部材の換気口を挟んで離間した連結箇所で、上記中間補強部材に連結され、
上記第１，第２のブリッジが、上記外側本体の換気口と上記中間補強部材の換気口を挟んで離間して配置され、その室外側の縁部と室内側の縁部が上記外側本体と上記中間補強部材に連結され、
上記外側本体と上記内側本体と上記中間補強部材が、それぞれ１つの押出型材からなり、上記内側本体は、室外に向かって突出する第１張り出し部と第２張り出し部を一体に有し、これら第１張り出し部と第２張り出し部は、上記内側本体の換気口と上記中間補強部材の換気口を挟んで離間しており、これら第１張り出し部と第２張り出し部の室外側の縁部が上記中間補強部材に連結され、
上記内側本体における上記換気口を有する正面壁と上記第１、第２の張り出し部と、上記中間補強部材における上記換気口を有する中間壁により、上記換気通路の一部となる小空間が画成されており、
上記小空間には、換気装置の長手方向に延びる板形状の樹脂製スペーサが垂直をなして収容されており、このスペーサは、換気口を有するとともに、その両側縁部に、室外側および室内側に突出するリブを有していることを特徴とする換気装置。
【請求項２】
窓障子に組み込まれる細長い換気装置であって、
換気装置の長手方向に延びるとともに室外側に配置された、換気口を有する金属製の外側本体と、
換気装置の長手方向に延びるとともに室内側に配置された、換気口を有する樹脂製の内側本体と、
換気装置の長手方向に延びるとともに上記外側本体と上記内側本体との間に配置された、換気口を有する金属製の中間補強部材と、
換気装置の長手方向に延びるとともに上記外側本体と上記中間補強部材との間に配置された、樹脂製の第１，第２のブリッジと、
上記外側本体と上記中間補強部材と上記内側本体の換気口を通る換気通路と、
上記換気通路での空気の流通を制御する流通制御機構と、
を備え、
上記内側本体が、上記内側本体の換気口と上記中間補強部材の換気口を挟んで離間した連結箇所で、上記中間補強部材に連結され、
上記第１，第２のブリッジが、上記外側本体の換気口と上記中間補強部材の換気口を挟んで離間して配置され、その室外側の縁部と室内側の縁部が上記外側本体と上記中間補強部材に連結され、
上記第２ブリッジは、長手方向に分離されて複数設けられ、上記第２ブリッジ間には、金属製のブリッジピースが配置され、このブリッジピースの室外側縁部と室内側縁部が上記外側本体と上記中間補強部材に連結されていることを特徴とする換気装置。
【請求項３】
上記外側本体と内側本体は下方に突出するガラス板押さえ部を一体に有し、これら外側本体と内側本体のガラス板押さえ部が室内外方向に対峙して配置されて、ガラス板収容空間が形成され、
上記第２ブリッジは、上記ガラス板収容空間に臨み、
さらに、換気装置の長手方向に延びるとともに上記ガラス板収容空間に配置された金属製の補強板を備え、この補強板は上記第２ブリッジと上記ブリッジピースの下方に配置された水平板部と、上記内側本体の上記ガラス板押さえ部の室外側の面に沿う垂直板部を有し、上記水平板部と上記ブリッジピースがネジで連結されていることを特徴とする請求項２に記載の換気装置。
【請求項４】
窓障子に組み込まれて左右方向に延びる細長い換気装置であって、
換気装置の長手方向に延びるとともに室外側に配置された、換気口を有する金属製の外側本体と、
換気装置の長手方向に延びるとともに室内側に配置された、換気口を有する樹脂製の内側本体と、
換気装置の長手方向に延びるとともに上記外側本体と上記内側本体との間に配置された、換気口を有する金属製の中間補強部材と、
換気装置の長手方向に延びるとともに上記外側本体と上記中間補強部材との間に配置された、樹脂製の第１，第２のブリッジと、
上記外側本体と上記中間補強部材と上記内側本体の換気口を通る換気通路と、
上記換気通路での空気の流通を制御する流通制御機構と、
を備え、
上記内側本体が、上記内側本体の換気口と上記中間補強部材の換気口を挟んで離間した連結箇所で、上記中間補強部材に連結され、
上記第１，第２のブリッジが、上記外側本体の換気口と上記中間補強部材の換気口を挟んで離間して配置され、その室外側の縁部と室内側の縁部が上記外側本体と上記中間補強部材に連結され、
上記第１ブリッジが上記第２ブリッジの上方に配置され、上記第１ブリッジと上記第２ブリッジとの間に上記換気通路の一部が形成され、
上記第１ブリッジが断面略Ｕ字形をなし、この第１ブリッジ内に窓枠の上レールが受け入れられることを特徴とする換気装置。
【請求項５】
上記流通制御機構は、上記外側本体または上記中間補強部材にスライド可能に支持された金属製の作動板を有し、この作動板により上記外側本体または上記中間補強部材の上記換気口が開閉されることを特徴とする請求項１〜４のいずれかに記載の換気装置。
【発明の詳細な説明】
【技術分野】
【０００１】
本発明は、窓障子に装着される断熱性を有する換気装置に関する。
【背景技術】
【０００２】
窓障子の上縁に装着される換気装置は、一般に複数のアルミ型材を組み付けることにより構成されており、その内部に形成された換気通路における空気の流通を、流通制御機構で制御している。しかし、このような換気装置では、特に寒冷時に外気により換気装置全体が冷やされ、室内の暖気を奪うばかりか室内側の面に結露を生じさせてしまう。
【０００３】
そこで、断熱性を有する換気装置が開発されている。特許文献１に開示されている換気装置では、室外側に配置される外側本体が耐候性、機械的強度を有するアルミ型材で構成され、室内側に配置される内側本体が断熱性に優れた樹脂製型材で構成されている。内側本体は、上下に離間するとともに室外側に向かって張り出す第１、第２の張り出し部を一体に有しており、これら第１、第２の張り出し部の室外側縁部が外側本体に連結されている。
【０００４】
特許文献２に開示されている換気装置は、外側本体と内側本体がともにアルミ型材で構成されている。これら外側本体と内側本体との間には、上下に離れた樹脂製型材からなる第１，第２のブリッジが配置されている。第１、第２のブリッジの室外側縁部と室内側縁部が外側本体と内側本体に連結されている。
【先行技術文献】
【特許文献】
【０００５】
【特許文献１】特開平１０−２２７１８１号公報
【特許文献２】特開平１０−１１５１５６号公報
【発明の開示】
【発明が解決しようとする課題】
【０００６】
特許文献１の換気装置では、内側本体が樹脂で構成されているので、主として外側本体が機械的強度を担わざるを得ない。内側本体の張り出し部の奥行寸法を大きくすると、断熱性を高めることができるが、換気装置全体の機械的強度が減じられてしまう。これとは逆に、内側本体の張り出し部の奥行寸法を小さくし外側本体の奥行寸法を大きくすると、機械的強度を確保できるが、断熱性が減じられてしまう。
【０００７】
同様に特許文献２では、第１、第２の樹脂製ブリッジの奥行寸法を大きくすると、断熱性を高めることができるが、換気装置全体の機械的強度が減じられてしまう。これとは逆に樹脂製ブリッジの奥行寸法を小さくし、金属製の外側本体と内側本体の合計奥行寸法を増大させると、機械的強度を確保できるが、断熱性が減じられてしまう。
【０００８】
上記のように、断熱性と機械的強度の両方を十分なレベルで確保することが課題として残されている。
【課題を解決するための手段】
【０００９】
本発明は、上記課題を解決するためになされたものであり、窓障子に組み込まれる細長い換気装置であって、換気装置の長手方向に延びるとともに室外側に配置された、換気口を有する金属製の外側本体と、換気装置の長手方向に延びるとともに室内側に配置された、換気口を有する樹脂製の内側本体と、換気装置の長手方向に延びるとともに上記外側型材と上記内側型材との間に配置された、換気口を有する金属製の中間補強部材と、換気装置の長手方向に延びるとともに上記外側本体と上記中間補強部材との間に配置された、樹脂製の第１，第２のブリッジと、上記外側本体と上記中間補強部材と上記内側本体の換気口を通る換気通路と、上記換気通路での空気の流通を制御する流通制御機構と、を備え、
上記内側本体が、上記内側本体の換気口と上記中間補強部材の換気口を挟んで離間した連結箇所で、上記中間補強部材に連結され、上記第１，第２のブリッジが、上記外側本体の換気口と上記中間補強部材の換気口を挟んで離間して配置され、その室外側の縁部と室内側の縁部が上記外側本体と上記中間補強部材に連結されていることを特徴とする。
【００１０】
上記構成によれば、樹脂製の内側本体と樹脂製の第１，第２ブリッジを組み込んだことにより、樹脂材の合計奥行寸法を大きくでき、十分な断熱性を確保することができる。しかも、外側本体を金属製にするとともに、樹脂製の内側本体と樹脂製の第１，第２ブリッジの間に、金属製の中間補強部材を介在させたことにより、十分な機械的強度を確保でき、換気装置のねじれや曲げを抑制できる。
【００１１】
好ましくは、上記外側本体と上記内側本体と上記中間補強部材が、それぞれ１つの押出型材からなり、上記内側本体は、室外に向かって突出する第１張り出し部と第２張り出し部を一体に有し、これら第１張り出し部と第２張り出し部は、上記内側本体の換気口と上記中間補強部材の換気口を挟んで離間しており、これら第１張り出し部と第２張り出し部の室外側の縁部が上記中間補強部材に連結されている。
上記構成によれば、外側本体と内側本体と中間補強部材が、それぞれ１つの押出型材からなるので部品点数を最小限にできる。また、樹脂製の内側本体の第１，第２張り出し部により、断熱性をさらに高めることができる。
【００１２】
好ましくは、上記内側本体における上記換気口を有する正面壁と上記第１、第２の張り出し部と、上記中間補強部材における上記換気口を有する中間壁により、上記換気通路の一部となる小空間が画成されており、上記小空間には、換気装置の長手方向に延びる板形状の樹脂製スペーサが垂直をなして収容されており、このスペーサは、換気口を有するとともに、その両側縁部に、室外側および室内側に突出するリブを有している。
上記構成によれば、リブ付きスペーサにより、換気装置の強度を高めることができ、例えば風圧により換気装置が膨らむ（その長手方向中央が室内側に突出するように膨らむ）のを、抑制することできる。このスペーサは樹脂製であるので、換気装置の断熱性を減じることはない。
【００１３】
好ましくは、上記外側本体と内側本体は下方に突出するガラス板押さえ部を一体に有し、これら外側本体と内側本体のガラス板押さえ部が室内外方向に対峙して配置されて、ガラス板収容空間が形成されている。
【００１４】
好ましくは、上記第２ブリッジは、上記ガラス板収容空間に臨み、長手方向に分離されて複数設けられ、上記第２ブリッジ間には、金属製のブリッジピースが配置され、このブリッジピースの室外側縁部と室内側縁部が上記外側本体と上記中間補強部材に連結され、さらに、換気装置の長手方向に延びるとともに上記ガラス板収容空間に配置された金属製の補強板を備え、この補強板は上記第２ブリッジと上記ブリッジピースの下方に配置された水平板部と、上記内側本体の上記ガラス板押さえ部の室外側の面に沿う垂直板部を有し、上記水平板部と上記ブリッジピースがネジで連結されている。
上記構成によれば、火災の際に樹脂からなる内側本体、第１、第２ブリッジが溶融しても、金属製の外側本体、中間補強部材、補強板、ブリッジピースが互いに連結された状態で残るので、分解して脱落せずにガラス板に装着された状態で残る。そのため、火炎の室内への侵入を防ぐことができる。
【００１５】
好ましくは、上記流通制御機構は、上記外側本体または上記中間補強部材にスライド可能に支持された金属製の作動板を有し、この作動板により上記外側本体または上記中間補強部材の上記換気口が開閉される。
上記構成によれば、作動板を金属製の外側本体または中間補強部材に対してスライドさせるので、安定した開閉動作を行なうことができる。
【発明の効果】
【００１６】
本発明によれば、断熱性と機械的強度の両方を十分なレベルで確保することができる。
【図面の簡単な説明】
【００１７】
【図１】本発明の第１実施形態に係る上框一体型換気装置の断面図である。
【図２】本発明の第２実施形態に係る上框一体型換気装置の断面図である。
【図３】本発明の第３実施形態に係る上框一体型換気装置の断面図である。
【図４】上記第３実施形態の下側ブリッジ構造を示す斜視図である。
【発明を実施するための形態】
【００１８】
以下、本発明の第１実施形態の換気装置を、図１を参照しながら説明する。この換気装置は、いわゆる上框一体型と称されるものであり、左右方向（図１の紙面と直交する方向）に延び、窓障子に上框として組み込まれる。
【００１９】
換気装置は、室外に臨んで配置される外側本体１０と、室内に臨んで配置される内側本体２０と、外側本体１０と内側本体２０との間に配置された中間補強部材３０と、外側本体１０と中間補強部材３０との間に介在された上下のブリッジ４０，５０（第１、第２のブリッジ）と、を備えている。
【００２０】
上記外側本体１０は、換気装置の長手方向に延びる１つのアルミ製（金属製）の型材（押出型材。以下同じ）からなり、肉厚の基部１１と、この基部１１より薄肉をなして基部１１から垂直に起立する背面壁１２を有している。背面壁１２には、上下に延びる多数の換気口１２ａが長手方向に間隔をおいて形成されている。
【００２１】
背面壁１２の上端部の室内側の面と基部１１の室内側の面には、後述するブリッジ係合部１３，１４が形成されている。これらブリッジ係合部１３，１４は、上記換気口１２ａを挟んで上下に離れている。
基部１１の下縁には、下方に垂直に延びるガラス押さえ部１５が連なっている。背面壁１２の上縁には、シール材６１を係合するための係合部１６が連なっている。
【００２２】
上記中間補強部材３０も、換気装置の長手方向に延びる１つのアルミ製（金属製）の型材からなり、肉厚の基部３１と、この基部３１より薄肉をなして室内寄りに配置された垂直に起立する中間壁３２とを有している。中間壁３２には、上下に延びる多数の換気口３２ａが長手方向に間隔をおいて形成されている。
【００２３】
中間壁３２の上部の室外側の面と基部３１の室外側の面には、後述するブリッジ係合部３３，３４が形成されている。これらブリッジ係合部３３，３４は、換気口３２ａを挟んで上下に離れている。
中間壁３２の上縁部の室外側の面には、シール材６２を係合するための係合部３５が形成されている。
中間壁３２の上縁部の室内側の面と基部３１の室内側の面にも、後述する係合部３６，３７が形成されている。これら係合部３６，３７も、換気口３２ａを挟んで上下に離れている。
【００２４】
上下のブリッジ４０，５０の各々は、換気装置の長手方向に延びる樹脂製の型材からなる。
上側のブリッジ４０は断面略Ｕ字形をなし、その室外側、室内側の縁部に形成された係合部４１，４２を、外側本体１０のブリッジ係合部１３と中間補強部材３０のブリッジ係合部３３にそれぞれ係合することにより、外側本体１０と中間補強部材３０に連結されている。
【００２５】
下側のブリッジ５０は中空の断面形状を有し、その室外側、室内側の縁部に形成された係合部５１，５２を、外側本体１０のブリッジ係合部１４と中間補強部材３０のブリッジ係合部３４に係合することにより、外側本体１０と中間補強部材３０に連結されている。
【００２６】
上記ブリッジ４０，５０は、換気装置１２ａ，３２ａを挟んで上下に離れて配置されている。外側本体１０と中間補強部材３０とブリッジ４０，５０に囲われた空間７０ａが、換気通路７０の主要部として提供される。
外側本体１０と中間補強部材３０の上縁部とブリッジ４０で囲われた空間７５は、上方が開放されており、窓枠の上レールを受け入れるようになっている。
【００２７】
下側のブリッジ５０は上側のブリッジ４０に比べて厚肉で大きな断面積を有しており、しかも上側ブリッジ４０の係合部４１，４２に比べて断面積の大きな楔形状の係合部５１，５２が、外側本体１０のブリッジ係合部１４と中間補強部材３０のブリッジ係合部３４にかしめ固定されている。そのため、外側本体１０と中間補強部材３０は特に下部において強固に連結されている。
【００２８】
上記内側本体２０は、換気装置の長手方向に延びる１つの樹脂製の型材からなり、基部２１と、この基部から垂直に起立する正面壁２２を有している。正面壁２２には、上下に延びる多数の換気口２２ａが長手方向に間隔をおいて形成されている。
正面壁２２の上縁部および下縁部には、フィルタ６５を嵌め込むための凹溝２３，２４が形成されている。基部２１の室内側の下縁には、下方に垂直に延びるガラス押さえ部２５が連なっている。
【００２９】
上記内側本体２０は、正面壁２２の上縁に連なる上側張り出し部２６（第１張り出し部）と、基部２１の室内側の下縁に連なる下側張り出し部２７（第２張り出し部）とを一体に有している。これら張り出し部２６，２７は室外に向かって水平に突出し、その先端縁部に係合部２６ａ，２７ａを有している。これら張り出し部２６，２７の係合部２６ａ，２７ａを、中間補強部材３０の係合部３６，３７に係合することにより、内側本体２０が上記中間補強部材３０に連結されている。
【００３０】
上記内側本体２０の正面壁２２と中間補強部材３０の中間壁３２との間には、換気通路７０の一部となる奥行寸法の小さな小空間７０ｂが形成されている。この小空間７０ｂには、スペーサ６６が収容されている。内側本体２０には、基部２１と正面壁２２の境から室外に向かって水平に突出する支持棚２８が一体に形成されており、この支持棚２８に上記スペーサ６６が載せられている。
【００３１】
上記スペーサ６６は、板形状の樹脂製の型材からなり、垂直をなして小空間７０ｂに収容されている。スペーサ６６には、上下方向に延びる細長い換気口６６ａが長手方向に間隔をおいて形成されている。
上記スペーサ６６の上縁部と下縁部には、室外側と室内側に突出するリブ６６ｂが形成されている。
【００３２】
換気装置は、上記換気口１２ａ，２２ａ，３２ａ，６６ａを通る換気通路７０を有している。換気通路７０における空気の流通は、流通制御機構８０により調節されるようになっている。この流通制御機構８０は、外側本体１０の室内側の面に長手方向にスライド可能に接する作動板８１と、内側本体２０の長手方向の一端部に長手方向にスライド可能に取り付けられた操作つまみ８２と、これら作動板８１と操作つまみ８２を連結する連結部材８３とを有している。
【００３３】
上記作動板８１は、換気装置の長手方向に延びるアルミ型材からなり、外側本体１０の換気口１２ａと同形状、同ピッチで制御口８１ａを有している。制御口８１ａが換気口１２ａと一致した時に換気口１２ａが開き、不一致の時に閉じて換気通路７０を遮断するようになっている。
【００３４】
上記外側本体１０のガラス板押さえ部１５と内側本体２０のガラス板押さえ部２５は、室内外方向に対峙して配置されている。
上記外側本体１０のブリッジ係合部１４の下面と、下側ブリッジ５０の下面と、中間補強部材３０のブリッジ係合部３４の下面と、内側本体２０の基部２１の下面は略面一をなしており、上記ガラス板押さえ部１５，２５と協働して、ガラス板収容空間７６を画成している。
上記ガラス板収容空間７６に、窓障子のガラス板（図示しない）の上縁部が嵌め込まれている。
【００３５】
上記構成において、樹脂製の内側本体２０と樹脂製のブリッジ４０，５０を組み込んだことにより、樹脂材の合計奥行寸法を大きくでき、十分な断熱性を確保することができる。しかも、外側本体１０を金属製にするとともに、内側本体２０とブリッジ４０，５０の間に金属製の中間補強部材３０を介在させたことにより、十分な機械的強度を確保でき、換気装置のねじれや曲げを抑制できる。
【００３６】
本実施形態では、さらに内側本体２０の張り出し部２６，２７により、断熱性をさらに高めることができる。この張り出し部２６，２７により形成された小空間７０ｂには、リブ６６ｂ付きのスペーサ６６を収容したので、換気装置の強度を損なわずに済み、例えば風圧により換気装置が膨らむ（その長手方向中央が室内側に突出するように膨らむ）のを、抑制することできる。
【００３７】
次に、本発明の他の実施形態について説明する。なお、これら実施形態において、上記第１実施形態に対応する構成部には同番号を付してその詳細な説明を省略する。
【００３８】
図２に示す第２実施形態では、換気装置の長手方向に延びるアルミ型材からなる作動板８５が、中間補強部材３０にスライド可能かつ回動可能に支持されている。より詳しくは、作動板８５の上縁には軸部８５ａが形成されており、この軸部８５ａが、中間補強部材３０の上部に形成された軸支部３９にスライド可能かつ回動可能に収容されている。
【００３９】
作動板８５の端部には接続穴（図示しない）が形成されており、この接続穴に操作つまみ８２の室外側端部が挿入されている。操作つまみ８２をスライドすることにより、作動板８５も同方向にスライドするようになっている。
中間補強部材３０の基部３１にはカム部材（図示しない）が設置されており、作動板８５はスライドする過程でカム部材により回動され、これにより中間補強部材３０の室内側の面に対して離間または接近し、換気口３２ａを開閉するようになっている。
作動板として、第１実施形態と同様に中間補強部材３０に沿ってスライドする作動板を用いてもよい。
【００４０】
本実施形態では、内側本体２０の正面壁２２と中間補強部材３０の中間壁３２が接近しており、第１実施形態のスペーサ６６は省かれている。
【００４１】
図３、図４に示す第３実施形態では、外側本体１０と中間補強部材３０との間に配置される下側のブリッジ構造Ｂが、第１実施形態と異なる。このブリッジ構造Ｂは、換気装置より短い複数（本実施形態では２つ）の樹脂製ブリッジ５０Ａ（第２ブリッジ）と、これらブリッジ５０Ａ間、およびブリッジ構造Ｂの長手方向両端に配置されるアルミ型材（金属製）からなるブリッジピース５５とを長手方向に隙間なく並べることにより構成されている。
【００４２】
ブリッジ５０Ａは第１実施形態のブリッジ５０と同一断面形状を有し、室外側縁部と室内側縁部に形成された係合部５１，５２が、外側本体１０のブリッジ係合部１４と中間補強部材３０のブリッジ係合部３４に係合されるようになっている。
ブリッジピース５５は、その室外側縁部と室内側縁部に、ブリッジ５０Ａの係合部５１，５２と同一断面形状の係合部５６，５７を有しており、これら係合部５６，５７を外側本体１０のブリッジ係合部１４と中間補強部材３０のブリッジ係合部３４に係合することにより、これら外側本体１０と中間補強部材３０に連結されている。
【００４３】
図３に示すように、ガラス板収容空間７６には、換気装置の長手方向に連続して延びる補強板９０が収容されている。この補強板９０は金属製であり、たとえばステンレス鋼板を折り曲げることにより断面Ｌ字形に形成され、水平板部９１と垂直板部９２を有している。
【００４４】
上記水平板部９１は、互いにほぼ面一をなす外側本体１０のブリッジ係合部１４の下面と中間補強部材３０のブリッジ係合部３４の下面と内側本体２０の基部２１の下面に沿って配置されている。垂直板部９２は内側本体２０のガラス板押さえ部２５の室外側の面に沿って配置されている。
ネジ９５を、補強板９０の水平板部９１を貫通させて上記ブリッジピース５５にねじ込むことにより、補強板９０とブリッジピース５５が連結されている。
【００４５】
火事の際に、樹脂製のブリッジ４０，５０、内側本体２０が熱により溶けた場合でも、金属製の外側本体１０、中間補強部材３０、ブリッジピース５５、補強板９０が互いに連結された状態を維持されているので、ガラス板の上縁から脱落せず残る。その結果、火炎の侵入を防止することができる。
【００４６】
なお、本発明は、上記実施の形態に限定されるものではなく、その要旨を逸脱しない範囲において各種の変形例を採用することができる。例えば、本発明は窓障子の上框の下部に配置される、いわゆる上框別体型の換気装置にも適用できる。
【産業上の利用可能性】
【００４７】
本発明は、窓障子に組み込まれる換気装置に適用することができる。
【符号の説明】
【００４８】
１０  外側本体
１２  背面壁
１２ａ  換気口
１５  ガラス押さえ部
２０  内側本体
２２  正面壁
２２ａ  換気口
２５  ガラス押さえ部
２６  上側張り出し部（第１張り出し部）
２７  下側張り出し部（第２張り出し部）
３０  中間補強部材
３２  中間壁
３２ａ  換気口
４０  上側ブリッジ（第１ブリッジ）
５０，５０Ａ  下側ブリッジ（第２ブリッジ）
６６  スペーサ
６６ａ  換気口
６６ｂ  リブ
７０  換気通路
７０ｂ  小空間
７６  ガラス板収容空間
８０  流通制御機構
８１、８５  作動板
９０  補強板
９１  水平板部
９２  垂直板部
９５  ネジ
【図１】
0006695174.tif 000002
【図２】
0006695174.tif 000003
【図３】
0006695174.tif 000004
【図４】
0006695174.tif 000005